(57)【要約】【課題】放熱をし易くすることが出来る構造の照明装置の提供を目的とする。【解決手段】  本体と、光源と、を有し、前記光源は、ヒートシンクを上部に有し、下部にＬＥＤを備え、前記光源と前記本体とは、前記ヒートシンクが前記本体の上端より露出するよう取り付けられる照明装置において、前記本体は、前記ヒートシンクが取り付けられる本体底板部が２つ以上あり、前記ヒートシンクが取り付けられた２つの前記本体底板部の間である本体中央にロ形状の開口部を有する。【選択図】図１
2015079641.tif 000002
【特許請求の範囲】
【請求項１】
本体と、光源と、を有し、前記光源は、ヒートシンクを上部に有し、下部にＬＥＤを備え、前記光源と前記本体とは、前記ヒートシンクが前記本体の上端より露出するよう取り付けられる照明装置において、
前記本体は、前記ヒートシンクが取り付けられる本体底板部が２つ以上あり、
前記ヒートシンクが取り付けられた２つの前記本体底板部の間である本体中央にロ形状の開口部を有することを特徴とする照明装置。
【発明の詳細な説明】
【技術分野】
【０００１】
本発明はＬＥＤ照明装置に関する。
【背景技術】
【０００２】
現在、照明業界では、従来の光源を用いた照明装置から、発光効率が良く省エネルギーなＬＥＤ光源を用いた照明装置（以下、ＬＥＤ照明装置）への切り替えが進んでいる。
【０００３】
従来、工場などの高い天井を有する場所に用いられる照明装置には、電灯よりも長寿命であり、かつ明るく照射することのできる水銀灯が用いられていた。ただし、ＬＥＤ照明装置は、水銀灯と比べ長寿命であること、水銀灯と同様に明るく照射することができること、水銀灯よりも始動性が良いこと、水銀灯よりも消費電力を減らすことができること、などの利点があるため、工場などの高い天井を有する場所に用いられる照明装置にもＬＥＤ照明装置への切り替えが望まれている。
【０００４】
工場などの高い天井を有する場所に用いられるＬＥＤ照明装置としては、特許文献１のような構造を有するものがある。
【先行技術文献】
【特許文献】
【０００５】
【特許文献１】特開２０１３−４１６８号公報
【発明の概要】
【発明が解決しようとする課題】
【０００６】
ところで、長寿命のＬＥＤ照明装置を提供するためには、光源部の放熱性を向上させる必要があるが、そのためには発熱が集中する光源部の放熱が課題である。
【０００７】
特許文献１は、放熱フィンにおける一部分を他の部分よりも高くして放熱性の向上を図ることが記載されているが、更なる放熱性の向上が望まれている。
【０００８】
本発明は放熱をし易くすることが出来る構造のＬＥＤ照明装置の提供を目的とする。
【課題を解決するための手段】
【０００９】
上記課題を解決するために、本発明は、本体と、光源と、を有し、前記光源は、ヒートシンクを上部に有し、下部にＬＥＤを備え、前記光源と前記本体とは、前記ヒートシンクが前記本体の上端より露出するよう取り付けられる照明装置において、前記本体は、前記ヒートシンクが取り付けられる本体底板部が２つ以上あり、前記ヒートシンクが取り付けられた２つの前記本体底板部の間である本体中央にロ形状の開口部を有する。
【発明の効果】
【００１０】
本発明によれば、放熱をし易くすることが出来る構造のＬＥＤ照明装置を提供することができる。
【図面の簡単な説明】
【００１１】
【図１】本発明に係る照明装置の側面図。
【図２】床面方向から見た際の本発明に係る照明装置の全体斜視図。
【図３】天井方向から見た際の本発明に係る照明装置の全体斜視図。
【図４】図１とは異なる向きの照明装置の側面図。
【図５】アームの上部を取り除いた状態で天井方向から見た際の照明装置の斜視図
【図６】本発明に係る照明装置の分解斜視図。
【図７】アームの上部を取り除いた状態で天井方向から見た際の照明装置の斜視図
【図８】角形のヒートシンクをアームと平行に配置した場合の一例である。
【図９】（ａ）Ａ１−Ａ１断面の流束分布である。（ｂ）Ｂ１−Ｂ１断面の流束分布である。
【図１０】角形のヒートシンクを互い違いに配置した場合の一例である。
【図１１】（ａ）Ａ２−Ａ２断面の流束分布である。（ｂ）Ｂ２−Ｂ２断面の流束分布である。
【図１２】山形のヒートシンクを互い違いに配置した場合の一例である。
【図１３】（ａ）Ａ３−Ａ３断面の流束分布である。（ｂ）Ｂ３−Ｂ３断面の流束分布である。
【図１４】（ａ）ガードを取り付けた状態の本発明に係る照明装置の側面図（ｂ）ガードを取り外した状態の本発明に係る照明装置の側面図（ｃ）図１４（ａ）のガード固定部の拡大図（ｄ）図１４（ａ）のガード取付部の拡大図
【図１５】拡散カバーの取付を示した斜視図
【図１６】本体側板の斜視図
【図１７】（ａ）本発明に係る照明装置の底面図（ｂ）筒部材の底面図（ｃ）筒部材の側面図
【図１８】（ａ）本発明に係る照明装置の斜視図（ｂ）筒部材の斜視図
【発明を実施するための形態】
【００１２】
本発明の実施形態に係る照明装置１００は、下記の構成を特徴とするものである。本体２１と、光源１９と、を有し、光源１９は、ヒートシンク８を上部に有し、下部にＬＥＤを備え、光源１９と本体２１とは、ヒートシンク８が本体２１の上端より露出するよう取り付けられる照明装置において、ヒートシンク８は、略板状で同一方向を向く複数の凸部からなる凹凸部を有し、本体２１には３つ以上のヒートシンク８が一列となるように接続され、３つ以上のヒートシンク８のうち、両端のヒートシンク８の凹凸部の向きと、両端以外のヒートシンク８の凹凸部の向きとが異なることで、放熱をし易くすることが出来る照明装置を提供することができることを特徴とする。
【００１３】
以下、本発明の実施形態にかかる照明装置１００の構成を添付の図１〜図６を用いて説明する。また、実施形態内の説明の便宜上、図示しない天井側を上側、床面側を下側とする。
【００１４】
照明装置１００は、建築物、主に工場の内部の天井面などの高い天井を有する場所に用いられる。照明装置１００は、建築物に設けられた屋内配線器具と接続されることで外部電源と接続されるとともに所定の位置に固定されて使用されるものである。なお、使用位置の位置はこの限りでない。
【００１５】
図１は、照明装置１００の側面図である。後ほど詳述するが、照明装置１００は、アーム１と、点灯装置２０と、光源１９と、本体２１と、から構成されている。図２は、図示しない天井面に設置された照明装置１００を床面方向から見た際の照明装置１００の全体斜視図である。図３は、照明装置１００を天井方向から見た際の照明装置１００の全体斜視図である。図４は、図１とは異なる向きの照明装置１００の側面図である。図５は、アーム１の上部を取り除いた状態で天井方向から見た際の照明装置１００の斜視図である。図６は、照明装置１００の分解斜視図である。図７は、アーム１の上部を取り除いた状態で天井方向から見た際の照明装置１００の斜視図である。図８は、角形のヒートシンク８’をアーム１と平行に配置した場合の一例である。図９（ａ）は、図８のＡ１−Ａ１断面の流束分布である。図９（ｂ）は、図８のＢ１−Ｂ１断面の流束分布である。図１０は、角形のヒートシンク８’を互い違いに配置した場合の一例である。図１１（ａ）は、図１０のＡ２−Ａ２断面の流束分布である。図１１（ｂ）は、図１０のＢ２−Ｂ２断面の流束分布である。図１２は、山形のヒートシンク８を互い違いに配置した場合の一例である。図１３（ａ）は、図１２のＡ３−Ａ３断面の流束分布である。図１３（ｂ）は、図１２のＢ３−Ｂ３断面の流束分布である。
【００１６】
図１に示すように、アーム１は、側面視で略凹形状となるよう形成された部材である。アーム１は、板状の天井部１ａと、天井部１ａの両端部とは略垂直になるよう設けられた板状のアーム部１ｂと、天井部１ａとアーム部１ｂとをつなぐ傾斜部１ｃと、からなる。天井部１ａとアーム部１ｂと傾斜部１ｃとにより、側面視で略凹形状となるように形成されている。アーム１は、照明装置１００全体の重さを支えるために、重量に耐えうる材料で形成することが望ましい。また、照明装置１００においては、アーム１の天井部１ａのみが天井と（建造物と）接する。照明装置１００から発せられた熱を建造物に伝える際は、アーム１を介して伝熱することになる。そのため、アーム１は伝熱性の良い材料で形成することが望ましい。伝熱性が良く、重量に耐えうる材料ということで、アーム１は鉄などの材料で形成することが望ましい。なお、鉄で形成した場合、点灯装置２０と、光源１９と、本体２１のアースの連続性を有することができる。なお、アーム１により、照明装置１００全体の重さを支えられれば良く、厚さや長さ、形状、材料を特に定めるものではない。
【００１７】
図６に示すように、点灯装置２０は、上板２と、点灯回路４と、下箱５と、から構成されている。点灯装置２０の外観は略直方体形状である。上板２は、略長方形の板状の部材である。下箱５は、上面が開口した略直方体の形状の部材である。上板２と下箱５とが接続され略直方体形状の部品となる。点灯回路４は、上板２と下箱５とで形成される略直方体形状の部品の内部に収められる。ただし、上板２と下箱５とで形成される略直方体形状の部品は、内部に点灯回路４を収めることができる形状であればこの限りではない。また、建造物の外で用いる場合も考慮し、点灯装置２０は必要に応じて防水構造をとってもよい。
【００１８】
図１、３、４、５に示すように、ヒートシンク８は先端中央を突起させた山型形状である。ヒートシンク８は、略板状の平板部と、平板部の一面に設けられる凹凸部と、からなり、全体として山型形状となっている部材である。凹凸部における凸部は略板状であり、複数の凸部が平板部から略垂直となるよう突出している。複数の凸部が設けられる向きは同一である。そのため、凹部も同一方向を向く。山型形状とすることにより、中央に位置するＬＥＤ１０からの熱と外部空気が接触し放熱し易いという効果を奏する。
【００１９】
ここで、山型形状とは、凸部の平板部からの高さを１つずつ変更し、中央に位置する凸部から両端に位置する凸部に行くに従い低くなるように設けたことで形成される形状である。本実施形態ではこちらを山型形状としている。こちらでは、凸部同士で重ならない部分が増えるため、外部空気と接する部分が増え、冷却効果を更に高めることが出来るという効果を奏する。
【００２０】
または、山型形状とは、個々の凸部における平板部からの高さを中央から端部に行くに従い低くなるようにし、その凸部を複数設けることで形成される形状である。なお、山型形状をこちらの形状とすると、ヒートシンク８を押出成型にて容易に加工ができるという効果を奏する。
【００２１】
図６に示すように、光源１９は、ヒートシンク８と、ＬＥＤ１０と、ＬＥＤ係止板１１と、から構成されている。前述の通り、ヒートシンク８の平板部の一面には凹凸部が設けられているが、ヒートシンク８の平板部の他面には、ＬＥＤ１０が取り付けられる。ＬＥＤ１０とヒートシンク８とは絶縁材（図示無し）を介して接続され、ＬＥＤ係止板１１によりＬＥＤ１０はヒートシンク８に固定されている。ＬＥＤ１０は、基板と、基板上に載置された発光素子と、から構成されている。発光素子で発生した熱は、基板、絶縁材（図示無し）を介し、ヒートシンク８へと伝わる。ヒートシンク８まで伝わった熱は、ヒートシンク８の凹凸部により外部空気に触れ、放熱される。なお、ヒートシンク８からの放熱効果を奏するものであれば、この形状に限らない。ヒートシンク８は、その役割上、放熱性の良い材料で形成することが望ましい。また、全体重量の関係もあるため、なるべく軽い材料で形成することが望ましい。よって、ヒートシンク８はアルミなどの材料で形成することが望ましい。
【００２２】
図６に示すように、本体２１は、本体支持部材１２と、反射筒１４と、筒部材１５と、本体側板１６と、透光カバー１７と、本体前後板１８と、から構成されている。
【００２３】
本体支持部材１２は、略板状の本体底板部１３と、本体支持部と、からなる。本体底板部１３は、略板形状の部分である。本体底板部１３には筒部材１５を取り付ける本体底板部開口部１３ａが設けられている。本体底板部開口部１３ａは光源１９の数と同じ数となるよう設けられている。本体支持部は、本体底板部１３の端部に、本体底板部１３から略垂直となるように設けられている板状の部分である。本実施形態においては、本体支持部はアーム部１ｂと同じ数となるように設けられている。
【００２４】
反射筒１４は、上面から下面に向かって徐々に断面積が広がる略円筒形状の部材である。反射筒１４の上面と下面には開口を有している。また、反射筒１４の内面は、鏡状になっている。反射筒１４の上面側には光源１９が取り付けられ、光源１９からの光を反射し下方（床面方向）に導く効果を奏する。
【００２５】
筒部材１５は、略円筒形状の部材である。筒部材１５の上面と下面には開口を有している。筒部材１５の内径は反射筒１４の外形と略等しく、反射筒１４を内部に係止することができる形状である。
【００２６】
反射筒１４を内部に備えた状態の筒部材１５と、本体底板部１３と、が接続される。筒部材１５が接続される位置は、本体底板部１３の本体底板部開口部１３ａが筒部材１５の開口に臨む位置である。
【００２７】
本体側板１６は、上面と前後面とが開口した略直方体形状の部材である。本体側板１６は、下面に反射筒１４の下面開口が臨むような本体側板開口部１６ａを有している。本体前後板１８は略板状の部材である。本体側板１６と本体前後板１８と本体支持部材１２とが接続されることにより、略直方体形状を形成し、その内部に反射筒１４と筒部材１５とＬＥＤ１０とＬＥＤ係止板１１と透光カバー１７とを備えている。なお、これらを内部に備えることが出来れば、略直方体形状に限るものではない。
【００２８】
本実施形態では、対向する２つの本体前後板１８の間に、２つの本体側板１６が距離を開けて設けられている。照明装置１を組みたてたときに２つの本体側板１６の間に、２つの本体側板１６の壁と２つの本体前後板とによりできる□形状の開口を照明装置１００における開口部３０とする。開口部３０を設けたことによる効果については後述する。
【００２９】
透光カバー１７の材料としてはガラス、プラスチックなど透光性の材料であれば良い。
【００３０】
図１〜図４に示すように、点灯装置２０は、アーム１のアーム部１ｂに接続されている。本実施形態においては、点灯装置２０が直方体形状をしていることから短辺側の板部がアーム部１ｂと接続されている。点灯装置２０とアーム１とを接続することで、点灯回路４からの熱を、上板２、下板５を介してアーム部１ｂに伝えることが可能となる。
【００３１】
図１〜図５に示すように、アーム１のアーム部１ｂと、本体支持部材１２の本体支持部と、がネジで接続される。これにより、本体２１とアーム１とが接続される。本実施形態では、アーム部１ｂ側から見た際に、アーム１の天井部１ａと、本体支持部材１２の本体底板部１３とは略平行となるように接続されている。
【００３２】
図１〜図５に示すように、光源１９と、本体２１とは、本体支持部材１２の本体底板部１３にヒートシンク８をネジ止めすることで接続される。光源１９と本体２１との接続の際、本体支持部材の開口部からＬＥＤ１０が臨むように、かつヒートシンク８は本体２１の上部に位置するように接続される。
【００３３】
ヒートシンク８（光源１９）は、アーム１のアーム部１ｂの板の向き（上下方向）と、ヒートシンク８の凹凸部における凸部が設けられる方向が異なる向きとなるように、本体２１に取り付けられている。本実施形態では、１つの本体底板部１３に３つのヒートシンク８が接続されている。３つのヒートシンク８は一列となるように並べられ、かつ３つのヒートシンク８が、凹凸部の向きが異なるように本体底板部１３に接続されている。３つのうちの両端のヒートシンク８はアーム１の天井部１ａの向きと同じ向き（本体底板部１３の長手方向の向きと同じ向き）となるように接続され、３つのうちの中央のヒートシンク８はアーム１の天井部１ａの向きと直交する向き（本体底板部１３の短手方向の向きと同じ向き）となるように接続されている。
【００３４】
３つのヒートシンク８が、凹凸部の向きが異なるように本体底板部１３に接続されていることによる効果については後述する。
【００３５】
照明装置１００を点灯した際、照明装置１００において最も温度が高い部分は、ヒートシンク８である。そのため、ヒートシンク８を冷却することで照明装置１００全体の温度を下げることができる。ヒートシンク８を冷却する方法としては、ヒートシンク８からの放熱、またはヒートシンク８からどこかへ伝熱がある。照明装置において、熱と照射効率には相関関係があり、熱を下げることで照射効率の低下を抑制することができる。
【００３６】
ヒートシンク８を放熱するためには、ヒートシンク８の回りの空気が滞留しないことが望ましい。照明装置１００を点灯させたとき、ヒートシンク８の温度が上昇するため、ヒートシンク回りの空気はヒートシンク８からの放熱により暖められ、上昇する。ヒートシンク８近傍の空気に熱対流を起こし、熱対流を促進する構造をとることでヒートシンク８の冷却を促進することが可能となる。
【００３７】
ここで、開口部３０を設けたことによる効果について説明する。前述のように、開口部３０は、２つの本体側板１６の間にできる開口である。２つの本体側板１６のそれぞれの底面部には本体支持部材１２における本体底板部１３が接続されている。また、本体底板部１３にはヒートシンク８が３つずつ設けられている。よって、開口部３０は、一方の本体底板部１３に設けられたヒートシンク８（以下、一方のヒートシンク）と、他方の本体底板部１３に設けられたヒートシンク８（以下、他方のヒートシンク）との間に設けられているということもできる。上記のように一方のヒートシンク８と他方のヒートシンク８との間に□形状の開口部３０を設けることにより外部からの空気を取り込み易くする効果が発生する。ヒートシンク８からの放熱により暖められた空気は上昇していき、熱対流を起こすことができる。図５には、熱対流の様子を示す。照明装置１００の外部から開口部３０に入り込む空気は、流路Ａのように流れ、ヒートシンク８により暖められ上昇し、開口部３０から流路Ｂのように出ていく。このように、流路Ａから流路Ｂのようになる熱対流により、ヒートシンク８周りの空気を冷却することができ、ヒートシンク８の冷却を促進することが可能となる。
【００３８】
ここで、ヒートシンク８が、凹凸部の向きが異なるように本体底板部１３に接続されていることによる効果について説明する。前述のように、ヒートシンク８は、凹凸部を有し、本体２１には３つのヒートシンク８が一列となるように設けられ、３つのヒートシンク８のうち両端のヒートシンク８の凹凸部の向きと、３つのヒートシンク８のうち中央のヒートシンク８の凹凸部の向きとが異なる。
【００３９】
上記のように、３つのヒートシンク８のうち両端のヒートシンク８の凹凸部の向きと、３つのヒートシンク８のうち中央のヒートシンク８の凹凸部の向きとが異なることにより外部からの空気を取り込み易くする効果が発生する。ヒートシンク８からの放熱により暖められた空気は上昇していき、熱対流を起こすことができる。熱対流により、ヒートシンク８周りの空気を冷却することができ、ヒートシンク８の冷却を促進することが可能となる。
【００４０】
本実施形態では、特に図７に示すように、３つのうちの両端のヒートシンク８はアーム１の天井部１ａの向きと同じ向き（本体底板部１３の長手方向の向きと同じ向き）となるように接続され、３つのうちの中央のヒートシンク８はアーム１の天井部１ａの向きと直交する向き（本体底板部１３の短手方向の向きと同じ向き）となるように接続されている。照明装置１００の周囲からヒートシンク８に入り込む空気のうち、本体前後板１８のある側の側部から照明装置１００に入り込む空気は、両端のヒートシンク８の凹凸部に入り、両端のヒートシンク８からの放熱により暖められ上昇する。
【００４１】
ここで、本体前後板１８のない側の側部から照明装置１００に入り込む空気は、中央のヒートシンク８の凹凸部に入り、中央のヒートシンク８からの放熱により暖められ上昇し、流路Ｄのように流れる。
【００４２】
両端のヒートシンク８を通過するうちに温められ上昇する空気は、中央のヒートシンク８の凹凸部に当たること、また流路Ｄの上昇の流れに当たることにより、更に上昇し、流路Ｃのように流れる。
【００４３】
上記のように、３つのヒートシンク８のうち両端のヒートシンク８の凹凸部の向きと、３つのヒートシンク８のうち中央のヒートシンク８の凹凸部の向きとが異なり、かつ３つのヒートシンク８のうち両端に位置するヒートシンク８の凹凸部の向きが、中央に位置するヒートシンク８を向くように接続することで、熱対流を更に促進することができる。熱対流を更に促進することができるため、ヒートシンク８の冷却を更に促進することができるという効果を奏する。
【００４４】
ここで、上述までの山形のヒートシンク８ではなく、角形のヒートシンク８’を互い違いに配置した場合の効果について、図８から図１１を用いて説明する。図８は角形のヒートシンク８’をアーム１の天井部１ａと平行に配置した場合、図１０は角形のヒートシンク８’を互い違いに配置した場合の構造である。角形のヒートシンク８’の素材をアルミニウム合金、角形のヒートシンク８’の表面を黒アルマイト処理、ＬＥＤ１０が搭載されているＬＥＤ基板１個当たりの発熱量を４８．２Ｗ、角形のヒートシンク８’とＬＥＤ基板の間の熱抵抗を設定して熱解析を行った場合の流線を図２に示す。図９（ａ）に示すように、中央側からの空気の流れは、点灯装置２０の底面とぶつかり、渦を巻いている。また、図９（ｂ）に示すように、左右に配置されたヒートシンク８’は外側から空気が入ってくるが、中央に配置されているヒートシンク８’へ入る空気は少ない。図８の角形のヒートシンク８’をアームと平行に配置した場合のＬＥＤ基板の平均温度は、左右が９４℃、中央が９７℃と中央が高い計算結果を得た。
【００４５】
図１０に示すように角形のヒートシンク８’を配置した場合の流線を図１１に示す。図１１（ａ）に示すように、外側からも中央側からも空気の流れがあり、点灯装置２０の底面とほとんどぶつからずに、空気が流れている。また、図１１（ｂ）に示すように、左右に配置されたヒートシンク８’は外側から空気が入って流れており、図１１（ａ）に示すように、中央に配置されているヒートシンク８’にも、外側から空気が入って流れている。図１０の角形のヒートシンク８’を互い違いに配置した場合のＬＥＤ基板の平均温度は、左右が９３℃、中央が９２℃であった。図１０に示すように、ヒートシンク８’を互い違いに配置することにより、外側から空気が流れるためＬＥＤ基板の温度を低減することができる。ＬＥＤは温度が低くなると、寿命が伸び、効率が上がる。
【００４６】
山形のヒートシンク８を互い違いに配置した場合の効果について、図１０から図１３を用いて説明する。山形のヒートシンク８の効果を確認するために、山形のヒートシンク８は角形のヒートシンク８’の同体積、同表面積の形状とした。
【００４７】
図１２に示すように山形のヒートシンク８を互い違いに配置した場合の流線を図１３に示す。図１３（ａ）に示すように、外側からも中央側からも空気の流れがあり、点灯装置２０の底面とほとんどぶつからずに、空気が流れている。また図１３（ｂ）に示すように、左右に配置されたヒートシンクは外側から空気が入って流れており、図１３（ａ）に示すように、中央に配置されているヒートシンクにも、外側から空気が入って流れている。図１２の山形のヒートシンク８を互い違いに配置した場合のＬＥＤ基板の平均温度は、左右中央すべて９０℃であった。図１１の角形のヒートシンク８’を互い違いに配置し場合と比較すると、山形のヒートシンク８を互い違いに配置した場合は、放射能力が約３％増加しているので、ＬＥＤ基板の温度を低減させることができる。ＬＥＤは温度が低くなると、寿命が伸び、効率が上がる。
【００４８】
また、本実施形態においては、アーム１に対して本体２１上面が垂直となるように設けているが、この限りではない。アーム１に対して本体２１上面が垂直以外の角度を有するように設けることも可能である。例えば、アーム１に対して本体２１上面が３０度となるように設けることが可能である。このように設けることで、光源１９の照射方向もアーム１の天井面に対して３０度傾けることが可能となり、所望の角度とすることが可能となる。
【００４９】
ヒートシンク８は、図６、７に示すように、凸部両端を低くし、中央に行くに従い徐々に高くすることにより、本体外からの空気を取り込み易くことが出来る。
【００５０】
また、ヒートシンク８手前の本体底板部１３は平坦としており、本体外からの空気を清流させ安定した放熱を行うことが出来る。
【００５１】
また、ヒートシンク８は、図８に示すように、本体底板部１３の上に複数配置することが出来、アーム１に平行となる凹部は、同一線上に配置することにより、本体外からの空気を両端から均一に呼び込み、中央へ集中させることにより、上方へ対流させることにより、発熱を低減することが出来る。
【００５２】
図１４（ａ）〜（ｄ）に示すように、本実施形態の照明装置１００には、ガード４０を設けても良い。ガード４０を設けることで、本体の下方向からの衝撃から照明装置１００の照射部を守ることができる。例えば、体育館で用いられるボールなどによる衝撃から照明装置１００の照射部を守ることができる。
【００５３】
ガード４０は、格子状の部材である。ガード４０には、ガード４０を照明装置１００に取り付けるためにガード固定部４０ａとガード取付部４０ｂとが設けられている。ガード固定部４０ａ及びガード取付部４０ｂは、ガード４０を本体前後板１８に設けられた受け孔（図示せず）に取り付けるために同じ方向を向いて突出する部分である。ガード固定部４０ａは本体前後板１８の内側から、ガード取付部４０ｂは本体前後板１８の外側から、受け孔に一方向から勘合し、ガード固定部４０ａを本体前後板１８の外側からナット４１によってナット止めすることで、ガード４０を照明装置１００に容易に取り付けることができる（図１４（ｃ）（ｄ）参照）。
【００５４】
図１５に示すように、光を拡散し、配光を広げるために拡散カバー５０が設けられても良い。拡散カバー５０を取り付ける際は、３つの光源を同時に覆うような形状の拡散カバー５０を、外部からカバー枠５１で覆い、本体前後板１８とカバー枠５１とを固定することで取り付けることができる。
【００５５】
図１６に示すように、本体側板１６の側面の隅には内側に凸となるエンボス１６ｂが設けられている。エンボス１６ｂは、透光カバー１７を仮固定するためのものであるため、本体側板１６の底面からある程度の距離をもった状態で設けられている。本体側板１６の側面にエンボス１６ｂを設けることにより、エンボス１６ｂと本体側板１６の本体側板開口部１６ａを形成する下面との間で透光カバー１７を挟み込むことで、照明装置１００の組み付け前の仮固定ができ、また、組み付け後もネジ等を使用することなく、がたつきを防止することができるという効果を奏する。
【００５６】
図１７，１８に示すように、筒部材１５及び反射筒１４は、外周の一部に切り欠き１５ａ（１４ａ）を設けても良い。外周の一部を切り欠くことにより、光源の間隔を広げることなく配光を制御することができるという効果を奏する。
【００５７】
本実施形態において、１つの本体底板部１３に設けるヒートシンク８の数を３つ、開口部の数を１つなど、構成部品、部分の数を規定したがこの限りでない。同様の効果を奏するものであれば、数は増減してもよい。
【符号の説明】
【００５８】
１  アーム
１ａ  天井部
１ｂ  アーム部
１ｃ  傾斜部
２  上板
４  点灯回路
５  下板
８、８’  ヒートシンク
１０  ＬＥＤ
１１  ＬＥＤ係止板
１２  本体支持部材
１３  本体底板部
１３ａ  本体底板部開口部
１４  反射筒
１５  筒部材
１５ａ  切り欠き
１６  本体側板
１６ａ  本体側板開口部
１６ｂ  エンボス
１７  透光カバー
１８  本体前後板
１９  光源
２０  点灯装置
２１  本体
３０  開口部
４０  ガード
４０ａ  ガード固定部
４０ｂ  ガード取付部
５０  拡散カバー
５１  カバー枠
１００  照明装置
Ａ，Ｂ，Ｃ，Ｄ  流路
【図１】
2015079641.tif 000003
【図２】
2015079641.tif 000004
【図３】
2015079641.tif 000005
【図４】
2015079641.tif 000006
【図５】
2015079641.tif 000007
【図６】
2015079641.tif 000008
【図７】
2015079641.tif 000009
【図８】
2015079641.tif 000010
【図９】
2015079641.tif 000011
【図１０】
2015079641.tif 000012
【図１１】
2015079641.tif 000013
【図１２】
2015079641.tif 000014
【図１３】
2015079641.tif 000015
【図１４】
2015079641.tif 000016
【図１５】
2015079641.tif 000017
【図１６】
2015079641.tif 000018
【図１７】
2015079641.tif 000019
【図１８】
2015079641.tif 000020